(57)【要約】      （修正有）【課題】外付アンテナとＲＦＩＤチップとが無線方式で信号を伝送する様に構成し、耐用度及び使用利便性を向上させたＲＦＩＤラベルを提供する。【解決手段】ＲＦＩＤラベル２０は、基板２００と、基板２００に設けられたＲＦＩＤチップ２０１と、基板２００に敷設されるとともにＲＦＩＤチップ２０１に電気的に接続された２本のマイクロアンテナ２０２と、基板２００をカバーするとともにＲＦＩＤチップ２０１とマイクロアンテナ２０２とを全部カバーするパッケージ２０３と、マイクロアンテナ２０２と無線方式で信号を伝送するとともにケース２０３に設けられた外付アンテナ２０４とにより構成する。【選択図】図２
0003182400.tif 000002
【実用新案登録請求の範囲】
【請求項１】
基板と、
前記基板に設けられたＲＦＩＤチップと、
前記ＲＦＩＤチップと無線方式で信号を伝送するとともに、前記ＲＦＩＤチップから所定の距離離れている少なくとも１本の外付アンテナとを含む、ＲＦＩＤラベル。
【請求項２】
前記ＲＦＩＤラベルは、さらに、前記基板をカバーするパッケージを備えることを特徴とする請求項１に記載のＲＦＩＤラベル。
【請求項３】
前記パッケージは、ケースであることを特徴とする請求項２に記載のＲＦＩＤラベル。
【請求項４】
前記パッケージは、コロイドであることを特徴とする請求項２に記載のＲＦＩＤラベル。
【請求項５】
前記外付アンテナは、前記パッケージに設けられていることを特徴とする請求項２に記載のＲＦＩＤラベル。
【請求項６】
前記基板に敷設されるとともに前記ＲＦＩＤチップに電気的に接続された少なくとも１本のマイクロアンテナを有し、当該外付アンテナは、前記マイクロアンテナを介して前記ＲＦＩＤチップと無線方式で信号を伝送することを特徴とする請求項１に記載のＲＦＩＤラベル。
【考案の詳細な説明】
【技術分野】
【０００１】
本考案は、ＲＦＩＤラベルに係り、特に、外付アンテナとＲＦＩＤチップとが無線方式で信号を伝送するＲＦＩＤラベルに関するものである。
【背景技術】
【０００２】
図１に示すように、従来のＲＦＩＤラベルは、ＲＦＩＤチップ１１を載置する基板１０と、ＲＦＩＤチップ１１に電気的に接続された２本の送受信アンテナ１２と、基板１０をカバーするとともにＲＦＩＤチップ１１と送受信アンテナ１２の一部を内部に覆う封止ケース１３とを備え、送受信アンテナ１２の大きさがＲＦＩＤの範囲に影響するため、従来のＲＦＩＤラベルが接続する送受信アンテナ１２のサイズが大きく、実用上には多くの問題が生じる。送受信アンテナ１２のサイズが大き過ぎると損壊を発生し易く、損壊後、識別システムが容易に識別できないといった問題がある。
【０００３】
以上に鑑みて、本考案者は、研究や設計、組み立てに専念し、製品寿命を向上させる目的を達するため、マイクロ送受信アンテナを有するＲＦＩＤラベルを提供する。
【考案の概要】
【考案が解決しようとする課題】
【０００４】
本考案は、外付アンテナとＲＦＩＤチップとが無線方式で信号を伝送するＲＦＩＤラベルを提供することを主な目的とする。
【課題を解決するための手段】
【０００５】
前記目的を達成するため、本考案に係るＲＦＩＤラベルは、基板と、前記基板に設けられたＲＦＩＤチップと、前記ＲＦＩＤチップと無線方式で信号を伝送するとともに所定の距離離れている少なくとも１本の外付アンテナとを含む。
【０００６】
上述したＲＦＩＤラベルでは、当該ＲＦＩＤラベルは、さらに、前記基板をカバーするパッケージを備える。
【０００７】
上述したＲＦＩＤラベルでは、当該パッケージは、さらに、ケース及びコロイドである。
【０００８】
上述したＲＦＩＤラベルでは、当該外付アンテナは、前記パッケージに設けられている。
【０００９】
上述したＲＦＩＤラベルでは、さらに、前記基板に敷設されるとともに前記ＲＦＩＤチップに電気的に接続された少なくとも１本のマイクロアンテナを有し、当該外付アンテナは、前記マイクロアンテナを介して前記ＲＦＩＤチップと無線方式で信号を伝送する。
【００１０】
本考案の特徴、特点及び技術内容をさらに深く理解を得るため、以下の本考案に係る詳細説明及び添付図面を参照する。前記添付図面は参考や説明にのみ提供され、本考案を局限するものではない。
【図面の簡単な説明】
【００１１】
【図１】従来のＲＦＩＤラベルの斜視図である。
【図２】本考案のＲＦＩＤラベルの第１実施例の斜視図である。
【図３】本考案のＲＦＩＤラベルの第１実施例の実際作成時の模式図である。
【図４】本考案のＲＦＩＤラベルの第２実施例の斜視図である。
【図５】本考案のＲＦＩＤラベルの第２実施例の使用例の模式図である。
【図６】本考案のＲＦＩＤラベルの第３実施例の斜視図である。
【考案を実施するための形態】
【００１２】
図２は、本考案のＲＦＩＤラベルの第１実施例の斜視図である。図２に示すように、本実施例では、ＲＦＩＤラベル２０は、基板２００と、基板２００に設けられたＲＦＩＤチップ２０１と、基板２００に敷設されるとともにＲＦＩＤチップ２０１に電気的に接続された２本のマイクロアンテナ２０２と、基板２００をカバーするとともにＲＦＩＤチップ２０１とマイクロアンテナ２０２とを全部カバーするパッケージ２０３と、マイクロアンテナ２０２と無線方式で信号を伝送するとともにケース２０３に設けられた外付アンテナ２０４とを含む。
【００１３】
図３は、本考案のＲＦＩＤラベルの第１実施例の実際作成時の模式図である。図３に示すように、本実施例では、ＲＦＩＤラベル２０をブローチ３０のような宝飾品にデザインし、外付アンテナ２０４をブローチ３０の外見に合わせて設置し、外見全体が普通のブローチと同じなるように、本考案のＲＦＩＤラベル２０をブローチ３０と組み合わせて利用し、操作時に、ブローチ３０を普通の衣類４０につければ、外付アンテナ２０４を介してリーダによりデータを読み取ることができ、信号の読み取り可能な距離が増加する。
【００１４】
図４は、本考案のＲＦＩＤラベルの第２実施例の斜視図である。図４に示すように、本考案のＲＦＩＤラベル６０はボタン５０と組み合わせられ、ボタン５０は、第１の本体５００と、第２の本体５０１とを含み、ＲＦＩＤラベル６０を第２の本体５０１に設置するとともに、第１の本体５００と第２の本体５０１とを対応してボタンに結合させる。本実施例では、ＲＦＩＤラベル６０は、コロイドで封止されている。
図５は、本考案のＲＦＩＤラベルの第２実施例の使用例の模式図である。図５に示すように、ＲＦＩＤラベル６０が結合されたボタン５０を衣類４０に縫い付け、ＲＦＩＤラベル６０は、外付アンテナを必要とするため、本実施例の衣類４０は、細い金属ワイヤ４００を衣類４０内に編組してＲＦＩＤラベル６０が所要する外付アンテナとし、本考案のＲＦＩＤラベル６０を有するボタン５０を装着することにより、衣類を洗濯に出すとき、ＲＦＩＤラベル６０のアンテナがパッケージ内に既に封止されたため、損壊し難い。
【００１５】
図６は、本考案のＲＦＩＤラベルの第３実施例の斜視図である。図６に示すように、本実施例では、ＲＦＩＤラベル２０は、基板２００と、基板２００に設けられたＲＦＩＤチップ２０１と、ＲＦＩＤチップ２０１と無線方式で信号を伝送するとともにケース２０３に設けられた外付アンテナ２０４とを含む。
本実施例では、外付アンテナ２０４は、ＲＦＩＤチップ２０１と直接に無線方式で信号を伝送するため、外付アンテナ２０４とＲＦＩＤチップ２０１とが近く位置する実施態様に適し、且つ、本実施例では、基板２００をカバーするとともにＲＦＩＤチップ２０１全体をカバーするパッケージ２０３を有してもよい。
【００１６】
以上に説明したように、ＲＦＩＤラベルは、商品デザインから、原材料の購入、半完成品と完成品の生産、運輸、倉庫貯蔵、配達、販売、乃至返品処理及びアフターサービスなどの供給チェーン段階の即時監視、例えば、様々な生産メーカ、生産時間、場所、色、サイズ、数、目的先、受取側などの製品関連情報を適正に把握することが実現でき、さらにＲＦＩＤラベルの耐用性を高めることができるため、本考案は、従来技術の欠点を確かに改善する。
【００１７】
以上は、単に本考案の好ましい具体的な実施例に過ぎず、本考案の特許請求の範囲を限定するものではなく、本考案の特許請求の範囲及び明細書の内容によって実施した簡単的等価な変更や修飾などが、本考案の主張範囲内に納入されるべきことは言うまでもない。
【符号の説明】
【００１８】
１０    基板
１１    ＲＦＩＤチップ
１２    送受信アンテナ
１３    封止ケース
２０    ＲＦＩＤラベル
３０    ブローチ
４０    衣類
５０    ボタン
６０    ＲＦＩＤラベル
２００  基板
２０１  ＲＦＩＤチップ
２０２  マイクロアンテナ
２０３  パッケージ
２０４  外付アンテナ
４００  細い金属ワイヤ
５００  第１の本体
５０１  第２の本体
【図１】
0003182400.tif 000003
【図２】
0003182400.tif 000004
【図３】
0003182400.tif 000005
【図４】
0003182400.tif 000006
【図５】
0003182400.tif 000007
【図６】
0003182400.tif 000008